(57)【要約】【課題】ダウンロードしたデータの資産管理や該データが正規購入品であることの証明を書面で可能なデータ販売システムを提供する。【解決手段】複合機１０は、使用する拡張機能の選択を受けると、該選択された機能に関する制御プログラムのダウンロード料金の見積り請求をダウンロード管理サーバ３０に行ない、その後、ダウンロード管理サーバ３０から見積りデータを受信すると見積書を自動印刷する。ユーザから見積りデータに基づく注文の確定操作を受けると、複合機１０はダウンロード管理サーバ３０に注文データを送信すると共に注文書を自動印刷する。さらに、複合機１０は注文した制御プログラムをダウンロードし、完了するとダウンロード管理サーバ３０はライセンスＩＤを複合機１０に送信する。複合機１０は該ライセンスＩＤの受信を契機にライセンス証を自動印刷する。【選択図】図６
2007213230.tif 000002
【特許請求の範囲】
【請求項１】
管理装置からデータをダウンロードする端末装置において、
前記管理端末に対してデータを注文する注文手段と、
前記注文手段で注文した前記データと該データのライセンスＩＤとを前記管理装置から受信する受信手段と、
前記受信手段による前記ライセンスＩＤの受信に応じて、前記データのライセンス証を印刷させる印刷制御手段と
を有する                          
ことを特徴とする端末装置。
【請求項２】
前記印刷制御手段はさらに、前記注文手段による前記データの注文の内容を示す注文書を印刷させる
ことを特徴とする請求項１に記載の端末装置。
【請求項３】
前記印刷制御手段は、前記注文手段による前記データの注文の実行に応じて、前記注文書を印刷させる
ことを特徴とする請求項２に記載の端末装置。
【請求項４】
前記印刷制御手段は、前記受信手段による前記ライセンスＩＤの受信に応じて、前記ライセンス証と前記注文書とを一括して印刷させる
ことを特徴とする請求項２に記載の端末装置。
【請求項５】
注文するデータを選択する選択手段と、
前記選択手段で選択されたデータに関する見積りデータの送信を前記管理装置に請求する見積り請求手段と
をさらに有し、
前記受信手段は、前記見積り請求手段で請求した前記見積りデータを前記管理装置から受信し、
前記印刷制御手段はさらに、前記注文手段による前記データの注文の内容を示す注文書と前記見積りデータに基づく見積書とを印刷させる
ことを特徴とする請求項１に記載の端末装置。
【請求項６】
前記印刷制御手段は、前記受信手段による前記見積りデータの受信に応じて前記見積書を印刷させ、前記注文手段による前記データの注文の実行に応じて前記注文書を印刷させる
ことを特徴とする請求項５に記載の端末装置。
【請求項７】
前記印刷制御手段は、前記受信手段による前記ライセンスＩＤの受信に応じて、前記ライセンス証と前記見積書と前記注文書とを一括して印刷させる
ことを特徴とする請求項５に記載の端末装置。
【請求項８】
管理装置と、該管理装置からデータをダウンロードする端末装置とを通信で接続したデータ販売システムにおいて、
前記端末装置は、
前記管理端末に対してデータを注文する注文手段と、
前記注文手段で注文した前記データと該データのライセンスＩＤとを前記管理装置から受信する受信手段と、
前記受信手段による前記ライセンスＩＤの受信に応じて、前記データのライセンス証を印刷させる印刷制御手段と
を有し、
前記管理装置は、
前記端末装置から前記注文を受ける受注手段と、
前記受注手段で受けた前記注文に応じてデータと該データのライセンスＩＤを前記端末装置へ送信する送信手段と
を有する
ことを特徴とするデータ販売システム。
【請求項９】
前記印刷制御手段はさらに、前記注文手段による前記データの注文の内容を示す注文書を印刷させる
ことを特徴とする請求項８に記載のデータ販売システム。
【請求項１０】
前記印刷制御手段は、前記注文手段による前記データの注文の実行に応じて、前記注文書を印刷させる
ことを特徴とする請求項９に記載のデータ販売システム。
【請求項１１】
前記印刷制御手段は、前記受信手段による前記ライセンスＩＤの受信に応じて、前記ライセンス証と前記注文書とを一括して印刷させる
ことを特徴とする請求項９に記載のデータ販売システム。
【請求項１２】
前記端末装置は、
注文するデータを選択する選択手段と、
前記選択手段で選択されたデータに関する見積りデータの送信を前記管理装置に請求する見積り請求手段と
をさらに有し、
前記管理装置は、前記端末装置から見積りの請求を受けて、対応する見積りデータを作成する見積り手段を有すると共に、前記送信手段により前記見積りデータを前記端末装置に送信し、
前記端末装置において、
前記受信手段は、前記見積り請求手段で前記請求した見積りデータを前記管理装置から受信し、
前記印刷制御手段はさらに、前記注文手段による前記データの注文の内容を示す注文書と前記見積りデータに基づく見積書とを印刷させる
ことを特徴とする請求項８に記載のデータ販売システム。
【請求項１３】
前記印刷制御手段は、前記受信手段による前記見積りデータの受信に応じて前記見積書を印刷させ、前記注文手段による前記データの注文の実行に応じて前記注文書を印刷させる
ことを特徴とする請求項１２に記載のデータ販売システム。
【請求項１４】
前記印刷制御手段は、前記受信手段による前記ライセンスＩＤの受信に応じて、前記ライセンス証と前記見積書と前記注文書とを一括して印刷させる
ことを特徴とする請求項１２に記載のデータ販売システム。
【請求項１５】
管理装置と、該管理装置からデータをダウンロードする端末装置との間におけるデータ販売方法であって、
前記端末装置から前記管理装置にデータを注文するステップと、
前記管理装置が、前記注文されたデータとそのライセンスＩＤとを前記端末装置に送信するステップと、
前記端末装置が前記管理装置から前記データと前記ライセンスＩＤとを受信するステップと、
前記ライセンスＩＤの受信に応じて、前記端末装置側で前記ライセンスＩＤに対応するデータのライセンス証を印刷するステップと
を有する
ことを特徴とするデータ販売方法。
【請求項１６】
前記端末装置側で前記データの注文の内容を示す注文書を印刷するステップをさらに有する
ことを特徴とする請求項１５に記載のデータ販売方法。
【請求項１７】
前記データの注文の実行に応じて、前記注文書を印刷する
ことを特徴とする請求項１６に記載のデータ販売方法。
【請求項１８】
前記ライセンスＩＤの受信に応じて、前記ライセンス証と前記注文書とを一括して印刷する
ことを特徴とする請求項１６に記載のデータ販売方法。
【請求項１９】
前記端末装置において、前記管理装置へ注文するデータを選択するステップと、
前記選択されたデータに関する見積りデータの送信を前記端末装置から前記管理装置に請求するステップと、
前記請求された見積りデータを前記管理装置で作成して前記端末装置に送信するステップと、
前記端末装置が前記管理端末から前記見積りデータを受信するステップと
をさらに備え、
前記端末装置側で前記見積りデータに基づく見積書を印刷するステップと、前記データの注文の内容を示す注文書を印刷するステップとをさらに有する
ことを特徴とする請求項１５に記載のデータ販売方法。
【請求項２０】
前記見積書を印刷するステップは、前記見積りデータの受信に応じて実行し、
前記注文書を印刷するステップは、前記データの注文の実行に応じて実行する
ことを特徴とする請求項１９に記載のデータ販売方法。
【請求項２１】
前記ライセンスＩＤの受信に応じて、前記ライセンス証と前記見積書と前記注文書とを一括して印刷する
ことを特徴とする請求項１９に記載のデータ販売方法。
【請求項２２】
管理装置に対して通信で商品を注文する商品注文装置において、
注文する商品を選択する選択手段と、
前記選択手段で選択された商品に関する見積りデータを前記管理装置に請求する見積り請求手段と、
前記見積り請求手段で請求した前記見積りデータを前記管理装置から受信する第１受信手段と、
前記第１受信手段による前記見積りデータの受信に応じて、該見積りデータに基づく見積書を印刷させる第１印刷制御手段と、
前記管理端末に対して商品を注文する注文手段と、
前記注文手段による前記商品の注文の実行に応じて、該商品の注文の内容を示す注文書を印刷させる第２印刷制御手段と、
前記注文手段で注文した前記商品に関する請求書データを前記管理装置から受信する第２受信手段と、
前記第２受信手段による前記請求書データの受信に応じて、該請求書データに基づく請求書を印刷させる第３印刷制御手段と
を有する
ことを特徴とする商品注文装置。
【請求項２３】
管理装置に対して通信で商品を注文する商品注文装置において、
注文する商品を選択する選択手段と、
前記選択手段で選択された商品に関する見積りデータの送信を前記管理装置に請求する見積り請求手段と、
前記見積り請求手段で請求した前記見積りデータを前記管理装置から受信する第１受信手段と、
前記管理端末に対して商品を注文する注文手段と、
前記注文手段で注文した前記商品に関する請求書データを前記管理装置から受信する第２受信手段と、
前記第２受信手段による前記請求書データの受信に応じて、前記見積りデータに基づく見積書と前記注文内容を示す注文書と前記請求書データに基づく請求書とを一括して印刷させる印刷制御手段と
を有する
ことを特徴とする商品注文装置。
【請求項２４】
管理装置と、該管理装置に対して商品を注文する商品注文装置とを通信で接続した商品販売システムにおいて、
前記商品注文装置は、
注文する商品を選択する選択手段と、
前記選択手段で選択された商品に関する見積りデータを前記管理装置に請求する見積り請求手段と、
前記見積り請求手段で請求した前記見積りデータを前記管理装置から受信する第１受信手段と、
前記第１受信手段による前記見積りデータの受信に応じて、該見積りデータに基づく見積書を印刷させる第１印刷制御手段と、
前記管理端末に対して商品を注文する注文手段と、
前記注文手段による前記商品の注文の実行に応じて、該商品の注文の内容を示す注文書を印刷させる第２印刷制御手段と、
前記注文手段で注文した前記商品に関する請求書データを前記管理装置から受信する第２受信手段と、
前記第２受信手段による前記請求書データの受信に応じて、該請求書データに基づく請求書を印刷させる第３印刷制御手段と
を有し、
前記管理装置は、
前記端末装置から見積りの請求を受けて、対応する見積りデータを作成する見積り手段と、
前記見積り手段で作成した前記見積りデータを前記端末装置に送信する第１送信手段と、
前記端末装置から前記商品の注文を受ける受注手段と、
前記受注手段で受けた前記商品の注文に応じた商品に関する請求書データを前記端末装置に送信する第２送信手段と
を有する
ことを特徴とする商品販売システム。
【請求項２５】
管理装置と、該管理装置に対して商品を注文する商品注文装置とを通信で接続した商品販売システムにおいて、
前記商品注文装置は、
注文する商品を選択する選択手段と、
前記選択手段で選択された商品に関する見積りデータの送信を前記管理装置に請求する見積り請求手段と、
前記見積り請求手段で請求した前記見積りデータを前記管理装置から受信する第１受信手段と、
前記管理端末に対して商品を注文する注文手段と、
前記注文手段で注文した前記商品に関する請求書データを前記管理装置から受信する第２受信手段と、
前記第２受信手段による前記請求書データの受信に応じて、前記見積りデータに基づく見積書と前記注文内容を示す注文書と前記請求書データに基づく請求書とを一括して印刷させる印刷制御手段と
を有し、
前記管理装置は、
前記端末装置から見積りの請求を受けて、対応する見積りデータを作成する見積り手段と、
前記見積り手段で作成した前記見積りデータを前記端末装置に送信する第１送信手段と、
前記端末装置から前記商品の注文を受ける受注手段と、
前記受注手段で受けた前記商品の注文に応じた商品に関する請求書データを前記端末装置に送信する第２送信手段と
を有する
ことを特徴とする商品販売システム。
【請求項２６】
管理装置と、該管理装置に対して商品を注文する商品注文装置との間における商品販売方法であって、
前記端末装置側で前記管理装置に注文する商品を選択するステップと、
前記選択された商品に関する見積りデータを前記端末装置から前記管理装置に請求するステップと、
前記請求された見積りデータを前記管理装置が作成して前記端末装置に送信するステップと、
前記端末装置が前記管理端末から前記見積りデータを受信するステップと、
前記端末装置側で前記見積りデータの受信に応じて、該見積りデータに基づく見積書を印刷するステップと、
前記端末装置から前記管理端末に商品を注文するステップと、
前記端末装置側で前記商品の注文の内容を示す注文書を印刷するステップと、
前記管理装置が前記注文された商品に関する請求書データを前記端末装置に送信するステップと、
前記端末装置が前記管理装置から前記請求書データを受信するステップと、
前記請求書データの受信に応じて、前記端末装置側で前記請求書データに基づく請求書を印刷するステップと
を有する
ことを特徴とする商品販売方法。
【請求項２７】
管理装置と、該管理装置に対して商品を注文する商品注文装置との間における商品販売方法であって、
前記端末装置側で前記管理装置に注文する商品を選択するステップと、
前記選択された商品に関する見積りデータの送信を前記端末装置から前記管理装置に請求するステップと、
前記請求された見積りデータを前記管理装置が作成して前記端末装置に送信するステップと、
前記端末装置が前記管理端末から前記見積りデータを受信するステップと、
前記端末装置から前記管理端末に商品を注文するステップと、
前記管理装置が前記注文された商品に関する請求書データを前記端末装置に送信するステップと、
前記端末装置が前記管理装置から前記請求書データを受信するステップと、
前記請求書データの受信に応じて、前記見積りデータに基づく見積書と前記注文内容を示す注文書と前記請求書データに基づく請求書とを一括して印刷するステップと
を有する
ことを特徴とする商品販売方法。
【発明の詳細な説明】
【技術分野】
【０００１】
本発明は、ダウンロードするデータや商品を、通信を介して管理装置に注文する販売システム、販売方法などに関する。
【背景技術】
【０００２】
近年、通信技術の発達により、ネットワークを通じてプログラムなどのデータの注文を受け付け、注文されたデータをサーバから購入者の端末装置へダウンロードして提供するという販売形態が普及している。
【０００３】
たとえば、画像形成装置の制御プログラムをサーバからダウンロードして更新するシステムにおいて、サーバが画像形成装置から更新要求を受けたとき、該当の制御プログラムが有料か否かを調べ、有料の場合にはサーバから画像形成装置にその料金を通知し、承諾を受けた場合にダウンロードを実行するシステムがある（たとえば、特許文献１参照。）。
【０００４】
また、ダウンロード可能なデータに限らず、インターネットを通じて商品を注文する販売システムも広く普及している。このような販売システムでは、通常、商品を選択すると、選択した各商品の価格や合計額などが画面に表示され、該画面で注文内容を確認して注文を確定すると、データのダウンロードが実行されたり、商品の配送が手配されたりするようになっている。
【０００５】
【特許文献１】特開平７−３１１５２４号公報
【発明の開示】
【発明が解決しようとする課題】
【０００６】
プログラムなどのダウンロードによる販売方法は、即座に入手できる点で便利であるが、料金を支払って正規に入手したものであっても、注文に係わる手続きがすべて画面上で行なわれ、しかも購入したものが無体物なので正規の使用者であることの証明が難しい。
【０００７】
また、企業では、購入した物の資産管理を見積書や注文書、請求書などの書面に基づいて行なう場合が多いが、インターネットなどを通じて商品を注文した場合には、注文に係わる手続きがすべて画面上で行なわれ、普通に手続きを進めると見積書や注文書などが書面として残らないので、資産管理上、問題の生じることがある。また、書面に残すためには、見積り額や注文内容を示す画面が表示されたときに、該画面の印刷操作をその都度人手で行なわなければならず、操作が面倒であるばかりか、印刷漏れの生じる虞もある。
【０００８】
本発明は、上記の問題を解決しようとするものであり、ダウンロードしたデータが正規に購入したものであることを書面で証明可能なデータ販売システムおよびデータ販売方法、端末装置を提供することを目的としている。
【０００９】
また、管理装置に対してデータや商品を通信で注文したときの見積書や注文書、請求書、ライセンス証などを書面で自動的に残すことのできるデータ販売システムおよびデータ販売方法、端末装置、商品販売システム、商品販売方法、商品注文装置を提供することを目的としている。
【課題を解決するための手段】
【００１０】
上記の目的は、以下に示す各項の発明により達成される。
【００１１】
（１）管理装置からデータをダウンロードする端末装置において、
前記管理端末に対してデータを注文する注文手段と、
前記注文手段で注文した前記データと該データのライセンスＩＤとを前記管理装置から受信する受信手段と、
前記受信手段による前記ライセンスＩＤの受信に応じて、前記データのライセンス証を印刷させる印刷制御手段と
を有する                          
ことを特徴とする端末装置。
【００１２】
上記発明では、注文したデータと該データのライセンスＩＤとを管理端末から受信したとき、そのデータに関するライセンス証を自動的に印刷する。ダウンロードしたデータの正規の使用者であることがライセンス証により書面で証明される。印刷は外部の印刷装置で行なってもよいし、端末装置が印刷装置を備えていてもよい。ライセンス証を印刷するための諸データは、たとえば、ライセンサ・ライセンシに関する情報などは、管理端末から受信されてもよいし、端末装置側に予め保持しておいてもよい。
【００１３】
（２）前記印刷制御手段はさらに、前記注文手段による前記データの注文の内容を示す注文書を印刷させる
ことを特徴とする（１）に記載の端末装置。
【００１４】
上記発明では、ライセンス証に加えて注文書が印刷される。
【００１５】
（３）前記印刷制御手段は、前記注文手段による前記データの注文の実行に応じて、前記注文書を印刷させる
ことを特徴とする（２）に記載の端末装置。
【００１６】
上記発明では、注文を実行したとき、注文書が印刷され、ライセンスＩＤを受けたとき、ライセンス証が印刷される。
【００１７】
（４）前記印刷制御手段は、前記受信手段による前記ライセンスＩＤの受信に応じて、前記ライセンス証と前記注文書とを一括して印刷させる
ことを特徴とする（２）に記載の端末装置。
【００１８】
上記発明では、ライセンス証と注文書とが一括して印刷される。資産管理に必要な書類が一括印刷されて、便利になる。
【００１９】
（５）注文するデータを選択する選択手段と、
前記選択手段で選択されたデータに関する見積りデータの送信を前記管理装置に請求する見積り請求手段と
をさらに有し、
前記受信手段は、前記見積り請求手段で請求した前記見積りデータを前記管理装置から受信し、
前記印刷制御手段はさらに、前記注文手段による前記データの注文の内容を示す注文書と前記見積りデータに基づく見積書とを印刷させる
ことを特徴とする（１）に記載の端末装置。
【００２０】
上記発明では、注文するデータを選択し、該データの料金を見積りし、該見積りに基づいて注文するという手順で注文が行なわれると共に、該注文に係わる見積書、注文書、ライセンス証が書面として自動的に印刷される。
【００２１】
（６）前記印刷制御手段は、前記受信手段による前記見積りデータの受信に応じて前記見積書を印刷させ、前記注文手段による前記データの注文の実行に応じて前記注文書を印刷させる
ことを特徴とする（５）に記載の端末装置。
【００２２】
上記発明では、見積りデータを受けたとき、見積書が印刷され、注文を実行したとき、注文書が印刷され、ライセンスＩＤを受けたとき、ライセンス証が印刷される。
【００２３】
（７）前記印刷制御手段は、前記受信手段による前記ライセンスＩＤの受信に応じて、前記ライセンス証と前記見積書と前記注文書とを一括して印刷させる
ことを特徴とする（５）に記載の端末装置。
【００２４】
上記発明では、ライセンスＩＤを受けたとき、ライセンス証と見積書と注文書とが一括して印刷される。資産管理に必要な書類が一括印刷されて、便利になる。見積り内容の確認や注文内容の確認は画面上で行なえばよい。途中で注文を中止したような場合に、不要な見積書や注文書が印刷されなくなる。
【００２５】
（８）管理装置と、該管理装置からデータをダウンロードする端末装置とを通信で接続したデータ販売システムにおいて、
前記端末装置は、
前記管理端末に対してデータを注文する注文手段と、
前記注文手段で注文した前記データと該データのライセンスＩＤとを前記管理装置から受信する受信手段と、
前記受信手段による前記ライセンスＩＤの受信に応じて、前記データのライセンス証を印刷させる印刷制御手段と
を有し、
前記管理装置は、
前記端末装置から前記注文を受ける受注手段と、
前記受注手段で受けた前記注文に応じてデータと該データのライセンスＩＤを前記端末装置へ送信する送信手段と
を有する
ことを特徴とするデータ販売システム。
【００２６】
上記発明では、注文したデータと該データのライセンスＩＤとを管理端末から受信したとき、そのデータに関するライセンス証が端末装置側で自動印刷される。ダウンロードしたデータの正規の使用者であることがライセンス証により書面で証明される。
【００２７】
（９）前記印刷制御手段はさらに、前記注文手段による前記データの注文の内容を示す注文書を印刷させる
ことを特徴とする（８）に記載のデータ販売システム。
【００２８】
上記発明では、ライセンス証に加えて注文書が印刷される。
【００２９】
（１０）前記印刷制御手段は、前記注文手段による前記データの注文の実行に応じて、前記注文書を印刷させる
ことを特徴とする（９）に記載のデータ販売システム。
【００３０】
上記発明では、注文を実行したとき、注文書が印刷され、ライセンスＩＤを受けたとき、ライセンス証が印刷される。
【００３１】
（１１）前記印刷制御手段は、前記受信手段による前記ライセンスＩＤの受信に応じて、前記ライセンス証と前記注文書とを一括して印刷させる
ことを特徴とする（９）に記載のデータ販売システム。
【００３２】
上記発明では、ライセンス証と注文書とが一括して印刷される。資産管理に必要な書類が一括印刷されて、便利になる。
【００３３】
（１２）前記端末装置は、
注文するデータを選択する選択手段と、
前記選択手段で選択されたデータに関する見積りデータの送信を前記管理装置に請求する見積り請求手段と
をさらに有し、
前記管理装置は、前記端末装置から見積りの請求を受けて、対応する見積りデータを作成する見積り手段を有すると共に、前記送信手段により前記見積りデータを前記端末装置に送信し、
前記端末装置において、
前記受信手段は、前記見積り請求手段で前記請求した見積りデータを前記管理装置から受信し、
前記印刷制御手段はさらに、前記注文手段による前記データの注文の内容を示す注文書と前記見積りデータに基づく見積書とを印刷させる
ことを特徴とする（８）に記載のデータ販売システム。
【００３４】
上記発明では、注文するデータを選択し、該データの料金を見積りし、該見積りに基づいて注文するという手順で注文が行なわれると共に、該注文に係わる見積書、注文書、ライセンス証が書面として自動的に印刷される。
【００３５】
（１３）前記印刷制御手段は、前記受信手段による前記見積りデータの受信に応じて前記見積書を印刷させ、前記注文手段による前記データの注文の実行に応じて前記注文書を印刷させる
ことを特徴とする（１２）に記載のデータ販売システム。
【００３６】
上記発明では、見積りデータを受けたとき、見積書が印刷され、注文を実行したとき、注文書が印刷され、ライセンスＩＤを受けたとき、ライセンス証が印刷される。
【００３７】
（１４）前記印刷制御手段は、前記受信手段による前記ライセンスＩＤの受信に応じて、前記ライセンス証と前記見積書と前記注文書とを一括して印刷させる
ことを特徴とする（１２）に記載のデータ販売システム。
【００３８】
上記発明では、ライセンスＩＤを受けたとき、ライセンス証と見積書と注文書とが一括して印刷される。資産管理に必要な書類が一括印刷されて、便利になる。見積り内容の確認や注文内容の確認は画面上で行なえばよい。途中で注文を中止したような場合に、不要な見積書や注文書が印刷されなくなる。
【００３９】
（１５）管理装置と、該管理装置からデータをダウンロードする端末装置との間におけるデータ販売方法であって、
前記端末装置から前記管理装置にデータを注文するステップと、
前記管理装置が、前記注文されたデータとそのライセンスＩＤとを前記端末装置に送信するステップと、
前記端末装置が前記管理装置から前記データと前記ライセンスＩＤとを受信するステップと、
前記ライセンスＩＤの受信に応じて、前記端末装置側で前記ライセンスＩＤに対応するデータのライセンス証を印刷するステップと
を有する
ことを特徴とするデータ販売方法。
【００４０】
上記発明では、注文したデータと該データのライセンスＩＤとを端末装置が管理端末から受信したとき、そのデータに関するライセンス証が端末装置側で自動印刷される。ダウンロードしたデータの正規の使用者であることがライセンス証により書面で証明される。
【００４１】
（１６）前記端末装置側で前記データの注文の内容を示す注文書を印刷するステップをさらに有する
ことを特徴とする（１５）に記載のデータ販売方法。
【００４２】
上記発明では、ライセンス証に加えて注文書が印刷される。
【００４３】
（１７）前記データの注文の実行に応じて、前記注文書を印刷する
ことを特徴とする（１６）に記載のデータ販売方法。
【００４４】
上記発明では、注文を実行したとき、注文書が印刷され、ライセンスＩＤを受けたとき、ライセンス証が印刷される。
【００４５】
（１８）前記ライセンスＩＤの受信に応じて、前記ライセンス証と前記注文書とを一括して印刷する
ことを特徴とする（１６）に記載のデータ販売方法。
【００４６】
上記発明では、ライセンス証と注文書とが一括して印刷される。資産管理に必要な書類が一括印刷されて、便利になる。
【００４７】
（１９）前記端末装置において、前記管理装置へ注文するデータを選択するステップと、
前記選択されたデータに関する見積りデータの送信を前記端末装置から前記管理装置に請求するステップと、
前記請求された見積りデータを前記管理装置で作成して前記端末装置に送信するステップと、
前記端末装置が前記管理端末から前記見積りデータを受信するステップと
をさらに備え、
前記端末装置側で前記見積りデータに基づく見積書を印刷するステップと、前記データの注文の内容を示す注文書を印刷するステップとをさらに有する
ことを特徴とする（１５）に記載のデータ販売方法。
【００４８】
上記発明では、注文するデータを選択し、該データの料金を見積りし、該見積りに基づいて注文するという手順で注文が行なわれると共に、該注文に係わる見積書、注文書、ライセンス証が書面として自動的に印刷される。
【００４９】
（２０）前記見積書を印刷するステップは、前記見積りデータの受信に応じて実行し、
前記注文書を印刷するステップは、前記データの注文の実行に応じて実行する
ことを特徴とする（１９）に記載のデータ販売方法。
【００５０】
上記発明では、見積りデータを受けたとき、見積書が印刷され、注文を実行したとき、注文書が印刷され、ライセンスＩＤを受けたとき、ライセンス証が印刷される。
【００５１】
（２１）前記ライセンスＩＤの受信に応じて、前記ライセンス証と前記見積書と前記注文書とを一括して印刷する
ことを特徴とする（１９）に記載のデータ販売方法。
【００５２】
上記発明では、ライセンスＩＤを受けたとき、ライセンス証と見積書と注文書とが一括して印刷される。資産管理に必要な書類が一括印刷されて、便利になる。見積り内容の確認や注文内容の確認は画面上で行なえばよい。途中で注文を中止したような場合に、不要な見積書や注文書が印刷されなくなる。
【００５３】
（２２）管理装置に対して通信で商品を注文する商品注文装置において、
注文する商品を選択する選択手段と、
前記選択手段で選択された商品に関する見積りデータを前記管理装置に請求する見積り請求手段と、
前記見積り請求手段で請求した前記見積りデータを前記管理装置から受信する第１受信手段と、
前記第１受信手段による前記見積りデータの受信に応じて、該見積りデータに基づく見積書を印刷させる第１印刷制御手段と、
前記管理端末に対して商品を注文する注文手段と、
前記注文手段による前記商品の注文の実行に応じて、該商品の注文の内容を示す注文書を印刷させる第２印刷制御手段と、
前記注文手段で注文した前記商品に関する請求書データを前記管理装置から受信する第２受信手段と、
前記第２受信手段による前記請求書データの受信に応じて、該請求書データに基づく請求書を印刷させる第３印刷制御手段と
を有する
ことを特徴とする商品注文装置。
【００５４】
上記発明では、注文する商品を選択し、該商品の見積りデータを管理端末に請求して受け取ると、該見積りデータに基づく見積書が自動印刷される。さらに、見積りに基づいて注文すると注文書が自動印刷され、該注文に対する請求書データを管理端末から受信すると、該請求書データに基づく請求書が自動印刷される。
【００５５】
（２３）管理装置に対して通信で商品を注文する商品注文装置において、
注文する商品を選択する選択手段と、
前記選択手段で選択された商品に関する見積りデータの送信を前記管理装置に請求する見積り請求手段と、
前記見積り請求手段で請求した前記見積りデータを前記管理装置から受信する第１受信手段と、
前記管理端末に対して商品を注文する注文手段と、
前記注文手段で注文した前記商品に関する請求書データを前記管理装置から受信する第２受信手段と、
前記第２受信手段による前記請求書データの受信に応じて、前記見積りデータに基づく見積書と前記注文内容を示す注文書と前記請求書データに基づく請求書とを一括して印刷させる印刷制御手段と
を有する
ことを特徴とする商品注文装置。
【００５６】
上記発明では、注文する商品を選択し、該商品の見積りデータを管理端末に請求して受け取り、該見積りに基づいて注文するという手順で注文が行なわれると共に、注文が成立して請求書データを受信したとき、当該注文に係わる見積書、注文書、請求書が一括して自動印刷される。見積り内容や注文内容の確認は画面上で行なえばよい。途中で注文を中止したような場合に、不要な見積書や注文書が印刷されなくなる。また、３枚の書面が一括して印刷され、管理上、便利になる。
【００５７】
（２４）管理装置と、該管理装置に対して商品を注文する商品注文装置とを通信で接続した商品販売システムにおいて、
前記商品注文装置は、
注文する商品を選択する選択手段と、
前記選択手段で選択された商品に関する見積りデータを前記管理装置に請求する見積り請求手段と、
前記見積り請求手段で請求した前記見積りデータを前記管理装置から受信する第１受信手段と、
前記第１受信手段による前記見積りデータの受信に応じて、該見積りデータに基づく見積書を印刷させる第１印刷制御手段と、
前記管理端末に対して商品を注文する注文手段と、
前記注文手段による前記商品の注文の実行に応じて、該商品の注文の内容を示す注文書を印刷させる第２印刷制御手段と、
前記注文手段で注文した前記商品に関する請求書データを前記管理装置から受信する第２受信手段と、
前記第２受信手段による前記請求書データの受信に応じて、該請求書データに基づく請求書を印刷させる第３印刷制御手段と
を有し、
前記管理装置は、
前記端末装置から見積りの請求を受けて、対応する見積りデータを作成する見積り手段と、
前記見積り手段で作成した前記見積りデータを前記端末装置に送信する第１送信手段と、
前記端末装置から前記商品の注文を受ける受注手段と、
前記受注手段で受けた前記商品の注文に応じた商品に関する請求書データを前記端末装置に送信する第２送信手段と
を有する
ことを特徴とする商品販売システム。
【００５８】
上記発明では、注文する商品を選択し、該商品の見積りデータを管理端末に請求して受け取ると、該見積りデータに基づく見積書が自動印刷される。さらに、見積りに基づいて注文すると注文書が自動印刷され、該注文に対する請求書データを管理端末から受信すると、該請求書データに基づく請求書が自動印刷される。
【００５９】
（２５）管理装置と、該管理装置に対して商品を注文する商品注文装置とを通信で接続した商品販売システムにおいて、
前記商品注文装置は、
注文する商品を選択する選択手段と、
前記選択手段で選択された商品に関する見積りデータの送信を前記管理装置に請求する見積り請求手段と、
前記見積り請求手段で請求した前記見積りデータを前記管理装置から受信する第１受信手段と、
前記管理端末に対して商品を注文する注文手段と、
前記注文手段で注文した前記商品に関する請求書データを前記管理装置から受信する第２受信手段と、
前記第２受信手段による前記請求書データの受信に応じて、前記見積りデータに基づく見積書と前記注文内容を示す注文書と前記請求書データに基づく請求書とを一括して印刷させる印刷制御手段と
を有し、
前記管理装置は、
前記端末装置から見積りの請求を受けて、対応する見積りデータを作成する見積り手段と、
前記見積り手段で作成した前記見積りデータを前記端末装置に送信する第１送信手段と、
前記端末装置から前記商品の注文を受ける受注手段と、
前記受注手段で受けた前記商品の注文に応じた商品に関する請求書データを前記端末装置に送信する第２送信手段と
を有する
ことを特徴とする商品販売システム。
【００６０】
上記発明では、注文する商品を選択し、該商品の見積りデータを管理端末に請求して受け取り、該見積りに基づいて注文するという手順で注文が行なわれると共に、注文が成立して請求書データを受信したとき、当該注文に係わる見積書、注文書、請求書が一括して自動印刷される。見積り内容や注文内容の確認は画面上で行なえばよい。途中で注文を中止したような場合に、不要な見積書や注文書が印刷されなくなる。また、３枚の書面が一括して印刷され、管理上、便利になる。
【００６１】
（２６）管理装置と、該管理装置に対して商品を注文する商品注文装置との間における商品販売方法であって、
前記端末装置側で前記管理装置に注文する商品を選択するステップと、
前記選択された商品に関する見積りデータを前記端末装置から前記管理装置に請求するステップと、
前記請求された見積りデータを前記管理装置が作成して前記端末装置に送信するステップと、
前記端末装置が前記管理端末から前記見積りデータを受信するステップと、
前記端末装置側で前記見積りデータの受信に応じて、該見積りデータに基づく見積書を印刷するステップと、
前記端末装置から前記管理端末に商品を注文するステップと、
前記端末装置側で前記商品の注文の内容を示す注文書を印刷するステップと、
前記管理装置が前記注文された商品に関する請求書データを前記端末装置に送信するステップと、
前記端末装置が前記管理装置から前記請求書データを受信するステップと、
前記請求書データの受信に応じて、前記端末装置側で前記請求書データに基づく請求書を印刷するステップと
を有する
ことを特徴とする商品販売方法。
【００６２】
上記発明では、注文する商品を選択し、該商品の見積りデータを管理端末に請求して受け取ると、該見積りデータに基づく見積書が自動印刷される。さらに、見積りに基づいて注文すると注文書が自動印刷され、該注文に対する請求書データを管理端末から受信すると、該請求書データに基づく請求書が自動印刷される。
【００６３】
（２７）管理装置と、該管理装置に対して商品を注文する商品注文装置との間における商品販売方法であって、
前記端末装置側で前記管理装置に注文する商品を選択するステップと、
前記選択された商品に関する見積りデータの送信を前記端末装置から前記管理装置に請求するステップと、
前記請求された見積りデータを前記管理装置が作成して前記端末装置に送信するステップと、
前記端末装置が前記管理端末から前記見積りデータを受信するステップと、
前記端末装置から前記管理端末に商品を注文するステップと、
前記管理装置が前記注文された商品に関する請求書データを前記端末装置に送信するステップと、
前記端末装置が前記管理装置から前記請求書データを受信するステップと、
前記請求書データの受信に応じて、前記見積りデータに基づく見積書と前記注文内容を示す注文書と前記請求書データに基づく請求書とを一括して印刷するステップと
を有する
ことを特徴とする商品販売方法。
【００６４】
上記発明では、注文する商品を選択し、該商品の見積りデータを管理端末に請求して受け取り、該見積りに基づいて注文するという手順で注文が行なわれると共に、注文が成立して請求書データを受信したとき、当該注文に係わる見積書、注文書、請求書が一括して自動印刷される。見積り内容や注文内容の確認は画面上で行なえばよい。途中で注文を中止したような場合に、不要な見積書や注文書が印刷されなくなる。また、３枚の書面が一括して印刷され、管理上、便利になる。
【発明の効果】
【００６５】
本発明に係わるデータ販売システムおよびデータ販売方法、端末装置では、ダウンロードしたデータが正規に購入したものであることを書面で証明することができる。
【００６６】
また、ライセンス証に加えて見積書や注文書を自動印刷するものでは、これら自動印刷した書面によりデータという無体物を、有体物の購入と同じように資産管理することができる。
【００６７】
また、管理装置に対して商品を通信で注文したときの見積書および注文書、請求書を自動印刷する商品販売システム、商品販売方法、商品注文装置では、通信で注文した商品の資産管理を見積書などの書面で円滑に行なうことができる。
【発明を実施するための最良の形態】
【００６８】
以下、図面に基づき本発明の各種実施の形態を説明する。
【００６９】
図１は、本発明の第１の実施の形態に係わるデータ販売システム５のシステム構成を示している。データ販売システム５は、インターネットなどのネットワーク２に、端末装置としての複合機１０とダウンロード管理サーバ３０とプログラムサーバ５０とを接続して構成される。ネットワーク２には、このほか管理者端末６０やパーソナルコンピュータ（図示省略）などの端末が接続されてもよい。複合機１０およびダウンロード管理サーバ３０、プログラムサーバ５０間の接続は、他の種類の通信路でもかまわない。
【００７０】
複合機１０は、原稿画像を読み取ってその複製を記録紙上に作成するコピー機能のほか、外部端末から受信した印刷データに基づいて印刷するプリンタ機能や、原稿画像を読み取って対応する画像データを保存したり外部へ出力したりするスキャナ機能、通信回線を通じて画像データを送受信するファクシミリ機能などを備えた画像形成装置である。
【００７１】
複合機１０は、各種の制御プログラムをプログラムサーバ５０からダウンロードして使用できるようになっており、ダウンロード管理サーバ３０は、複合機１０がプログラムサーバ５０から制御プログラムをダウンロードすることを許可したり、使用料金を管理したりする機能を果たす。ダウンロード対象の制御プログラムは機能毎のモジュールに分けて管理されており、複合機１０のユーザは、使いたい機能を選択して該当の制御プログラムをダウンロードすることができる。
【００７２】
ここでは、ダウンロードを管理する管理装置としての機能をダウンロード管理サーバ３０とプログラムサーバ５０とに分けて実現しているが、これらは一体に構成されてもよい。ダウンロード管理サーバ３０とプログラムサーバ５０とに分けて構成することで、ダウンロード管理サーバ３０は各事業所のＬＡＮに個別に接続し、プログラムサーバ５０はインターネットなどのＷＡＮ（Wide Area Network）上に配置して、該プログラムサーバ５０を複数のダウンロード管理サーバ３０で共通利用することができる。
【００７３】
図２は、複合機１０の概略構成を示すブロック図である。複合機１０はＣＰＵ（Central Processing Unit）２０と、ＲＯＭ（Read Only Memory）１１と、記憶部１２と、カウンタ部１３と、送受信部１４と、操作表示部１５と、スキャナ部１６と、画像処理部１７と、プリンタ部１８とをバス１９に接続して構成される。
【００７４】
ＣＰＵ２０は、当該複合機１０の動作を統括制御する機能を果たす。ＲＯＭ１１は、ブートプログラムおよびダウンローダ（ダウンロード制御用プログラム）が予め記憶された読み出し専用のメモリである。ＣＰＵ２０はＲＯＭ１１に格納されたダウンロード制御プログラムを実行することで、ダウンロード制御部２１と、見積り請求手段２２と、注文手段２３と、印刷制御手段２４としての機能を果たす。
【００７５】
ダウンロード制御部２１は、ダウンロード管理サーバ３０に注文する制御プログラムを機能単位に選択するユーザ操作を受ける選択手段としての機能や、制御プログラムなどのダウンロードを制御する機能を果たす。
【００７６】
見積り請求手段２２は、選択された機能に関する制御プログラムの使用料の見積りをダウンロード管理サーバ３０に対して請求し、ダウンロード管理サーバ３０から見積りデータを受け取る処理を制御する。なお、見積りデータと共に、該見積りデータの内容が反映された注文書フォームデータがダウンロード管理サーバ３０から複合機１０へ送信される。
【００７７】
注文手段２３は、該見積りデータ（注文書フォームデータ）に基づいて注文の操作画面を表示し、ユーザから注文の確定操作を受けると、ダウンロード管理サーバ３０に対する注文を実行する機能を果たす。
【００７８】
印刷制御手段２４は、見積りデータに基づく見積書や、注文の内容を示す注文書、ライセンスＩＤ（Identification）を含むライセンス証をプリンタ部１８に印刷させる機能を果たす。なお、プリンタ部１８に代えて外部装置に印刷させてもよい。
【００７９】
記憶部１２には、ダウンロードした制御プログラムや画像データなどが記憶される。記憶部１２は、揮発メモリ部１２ａと、不揮発メモリ部１２ｂとで構成され、ダウンロードした制御プログラムは揮発メモリ部１２ａに一時的に記憶される。このため、ダウンロードした制御プログラムは電源オフにより自動的に消去される。長期間保存する画像データは不揮発メモリ部（たとえば、ハードディスク装置）１２ｂに保存される。
【００８０】
カウンタ部１３は、機能毎に、その機能に係わる制御プログラムのダウンロード回数や機能の使用回数を累積計数する機能を果たす。
【００８１】
送受信部１４は、ネットワーク２を通じてダウンロード管理サーバ３０やプログラムサーバ５０、管理者端末６０と各種のデータを送受信するための通信制御機能を果たす。
【００８２】
操作表示部１５は、液晶ディスプレイなどの表示部と、操作部とを有する。操作部は操作スイッチや液晶ディスプレイの画面上に敷設されたタッチパネルなどとで構成される。操作表示部１５には、各種の操作画面や、ダウンロード管理サーバ３０に注文する制御プログラムを機能単位に選択するための選択画面などが表示される。
【００８３】
スキャナ部１６は、原稿画像を光学的に読み取って対応する画像データを出力する機能を果たす。スキャナ部１６は、ラインイメージセンサなどで構成される。
【００８４】
画像処理部１７は、画像データに拡大、縮小、回転、圧縮・伸張などの各種の処理を施す機能を果たす。
【００８５】
プリンタ部１８は、入力される画像データに応じた画像を記録紙上に形成する機能を果たす。ここでは、記録紙の搬送装置と、感光体ドラムと、帯電装置と、レーザーユニットと、現像装置と、転写分離装置と、クリーニング装置と、定着装置とを有する、電子写真プロセスを用いたレーザープリンタとして構成されている。
【００８６】
図３は、ダウンロード管理サーバ３０の構成を示している。ダウンロード管理サーバ３０はＣＰＵ４０と、ＲＯＭ３１と、ＲＡＭ（Random Access Memory）３２と、記憶部３３と、操作部３４と、表示部３５と、送受信部３６とをバス３７に接続して構成される。
【００８７】
ＣＰＵ４０は、当該ダウンロード管理サーバ３０の動作を統括制御する機能を果たす。ＲＯＭ３１はＣＰＵ４０が参照する各種のプログラムや固定データを記憶している。ＲＡＭ３２はＣＰＵ４０のワークメモリとして使用される。ＣＰＵ４０は、ＲＯＭ３１に格納されたプログラムを実行することでダウンロード管理部４１と、見積書発行処理部４２と、注文書発行処理部４３と、ライセンス証発行処理部４４と、メール発行処理部４５としての機能を果たす。
【００８８】
ダウンロード管理部４１は、複合機１０の機種やオプションの装着状態に応じてその複合機１０へダウンロード可能な制御プログラムを検索する検索部４１ａや、注文された制御プログラムのダウンロードを許可して固有の許可ＩＤを発行する許可部４１ｂなどの機能を果たす。
【００８９】
見積書発行処理部４２は、複合機１０から受信した見積り請求に応じて、固有の見積ＩＤを発行し、該見積ＩＤを含む見積りデータを作成する見積り手段としての機能を果たす。見積りデータには、見積ＩＤのほか、見積り請求された制御プログラムの使用料や合計額など、見積書の印刷に必要なデータが含まれる。
【００９０】
注文書発行処理部４３は、複合機１０から制御プログラムのダウンロードに関する注文を受ける受注手段としての機能を果たす。また、見積書発行処理部４２が作成した見積りデータに対応する注文書の注文書フォームデータを作成する処理の制御機能を果たす。注文書には、注文ＩＤが含まれる。注文ＩＤは、見積ＩＤと１対１に関連付けされた固有のＩＤであれば、見積ＩＤと同一でもよいし、見積ＩＤと相違するＩＤでもかまわない。
【００９１】
ライセンス証発行処理部４４は、注文された制御プログラムのダウンロード完了に伴って、該ダウンロードされた制御プログラムに関するライセンスＩＤを発行し、該ライセンスＩＤを含むライセンス証を印刷するためのライセンス証データを作成する機能を果たす。ライセンスＩＤは、注文ＩＤと１対１に関連付けされた固有のＩＤであれば、注文ＩＤと同一でもよいし、注文ＩＤと相違するＩＤでもかまわない。なお、ダウンロードした各制御プログラムの金額やそれらの合計金額を含む、請求書としての機能を兼ねたライセンス証を発行することも可能になっている。
【００９２】
メール発行処理部４５は、指定された管理者端末６０に対して、見積りデータ、注文内容を示す注文データ、ライセンス証データなどを電子メールの形式で送信する機能を果たす。
【００９３】
記憶部３３は、不揮発メモリであり、制御プログラムの販売に関する見積りデータ、注文データ、ライセンス証データ、課金データなどが関連付けて蓄積記憶される。関連付けは、注文単位に見積ＩＤ、注文ＩＤ、ライセンスＩＤを用いて行なわれる。なお、複合機１０からの注文に応じてダウンロード管理部４１が発行する許可ＩＤは、該注文の注文ＩＤと関連付けされる。
【００９４】
操作部３４はキーボードやポインティングデバイスとしてのマウスなどで構成され、表示部３５は液晶ディスプレイなどで構成される。送受信部３６は、ネットワーク２を通じて複合機１０やプログラムサーバ５０と各種のデータを送受信するための通信制御機能を果たす。
【００９５】
図４は、プログラムサーバ５０の構成を示している。プログラムサーバ５０はＣＰＵ５１と、ＲＯＭ５２と、ＲＡＭ５３と、記憶部５４と、操作部５５と、表示部５６と、送受信部５７とをバス５８に接続して構成される。
【００９６】
ＣＰＵ５１は、当該プログラムサーバ５０の動作を統括制御する機能を果たす。ＲＯＭ５２はＣＰＵ５１が参照する各種のプログラムや固定データを記憶している。ＲＡＭ５３はＣＰＵ５１のワークメモリとして使用される。
【００９７】
記憶部５４は、複合機１０にダウンロードする各種のプログラムが蓄積記憶されたプログラムデータベースである。
【００９８】
操作部５５はキーボードやポインティングデバイスとしてのマウスなどで構成され、表示部５６は液晶ディスプレイなどで構成される。送受信部５７は、ネットワーク２を通じて複合機１０やダウンロード管理サーバ３０と各種のデータを送受信するための通信制御機能を果たす。
【００９９】
ＣＰＵ５１は、ＲＯＭ５２に格納されたプログラムを実行することでダウンロード制御部５１ａとしての機能を果たす。ダウンロード制御部５１ａは、ダウンロード管理サーバ３０からの要求に応じて記憶部５４内のプログラムを検索し、その検索結果をダウンロード管理サーバ３０に送信する処理や、許可ＩＤを伴う複合機１０からのダウンロード要求に応じて、該当する制御プログラムを記憶部５４から読み出して複合機１０へ送信する処理の制御を行なう。
【０１００】
図５は、管理者端末６０の構成を示している。管理者端末６０はＣＰＵ６１と、ＲＯＭ６２と、ＲＡＭ６３と、記憶部６４と、操作部６５と、表示部６６と、送受信部６７とをバス６８に接続して構成される。
【０１０１】
ＣＰＵ６１は、当該管理者端末６０の動作を統括制御する機能を果たすと共に、電子メールの受信に関する処理を行なうメール受信処理部６１ａの機能を果たす。ＲＯＭ６２はＣＰＵ６１が参照する各種のプログラムや固定データを記憶している。ＲＡＭ６３はＣＰＵ６１のワークメモリとして使用される。
【０１０２】
記憶部６４はハードディスク装置などで構成され、操作部６５はキーボードやポインティングデバイスとしてのマウスなどで構成され、表示部６６は液晶ディスプレイなどで構成される。送受信部６７は、ネットワーク２を通じて複合機１０やダウンロード管理サーバ３０と各種のデータを送受信するための通信制御機能を果たす。管理者端末６０は、電子メールソフトなどがインストールされた汎用のコンピュータ装置で構成することができる。
【０１０３】
次に、データ販売システム５における制御プログラムの購入処理の流れ（ワークフロー）を図６に基づいて説明する。
【０１０４】
複合機１０は、電源オンされた場合やリセットされた場合、あるいははユーザにより制御プログラムのダウンロードに関するメニューが選択された場合などに、自装置の装置情報をダウンロード管理サーバ３０に送信する（ステップＳ１０１）。
【０１０５】
装置情報には、複合機１０の機種を示す機種ＩＤや装着されているオプション装置を示すオプションＩＤ、当該複合機１０を一意に特定するための機種シリアル番号などが含まれる。さらに、見積書や注文書に記載する注文者の会社名などを含む注文者情報を装置情報と共に送信する。なお、予め注文者情報を機種シリアル番号などに対応付けてダウンロード管理サーバ３０に登録してある場合は、ここでの注文者情報の送信は必要ない。
【０１０６】
ダウンロード管理サーバ３０は複合機１０から装置情報や注文者情報を受信すると（ステップＳ２０１）、該装置情報が示す機種やオプション装置の装着状況から当該複合機１０で利用可能な制御プログラムを機能単位に検索する（ステップＳ２０２）。該検索はダウンロード管理サーバ３０の検索部４１ａからプログラムサーバ５０に依頼し、検索結果をプログラムサーバ５０から受け取ることで行なわれる。
【０１０７】
ダウンロード管理サーバ３０は、検索された機能の一覧データを作成して複合機１０に送信し(ステップＳ２０３)、複合機１０はこれを受信し、該一覧データに基づいて機能選択画面を操作表示部１５に表示する（ステップＳ１０２）。
【０１０８】
図７は、機能選択画面３００の一例を示している。機能選択画面３００には、各機能の機能名３０１と、その機能に関する制御プログラムをダウンロードして使用するための料金３０２と、ダウンロードする／しないの選択状態を示す選択マーク３０３とが対応付けて一覧表示される。図中、黒塗りの選択マーク３０３は当該機能が選択された状態を、空白の選択マーク３０３は非選択の状態を示している。ユーザは、画面上で選択マーク３０３に触れることにより、その選択マーク３０３に係わる機能を選択／非選択に切り替えることができる。機能選択画面３００には選択した機能の合計料金が表示される。
【０１０９】
機能選択画面３００に表示される機能は、基本機能と拡張機能とに分類されている。基本機能は複合機１０としての必須機能であり、ダウンロードする／しないをユーザは選択できない。ユーザは、拡張機能についてのみ選択マーク３０３を操作して選択／非選択を切り替えることができる。
【０１１０】
なお、基本機能に関する制御プログラムは、予め複合機１０に内蔵し、拡張機能に関する制御プログラムのみ、ダウンロードして用いるようにしても良い。
【０１１１】
なお、基本機能をどの範囲とするかは適宜に設定すればよい。たとえば、ＯＳ（Operating System）やハードウェアの構成に依存したデバイスドライバのみを基本機能に関する制御プログラムとしてもよい。また、コピー機能やスキャン機能などのようにユーザから見た当該装置１０の基本的な機能を、ダウンロードの必須な基本機能として扱ってもよい。
【０１１２】
ユーザが機能を選択した後、画面右下部の「確定・見積依頼送信」釦３０４を操作すると、複合機１０の見積り請求手段２２は、現在選択されている機能に関する見積りデータの送信をダウンロード管理サーバ３０に対して請求する（ステップＳ１０３）。該請求において、複合機１０は、選択されている機能の機能コードを送信する。なお、注文者情報はこの段階で複合機１０からダウンロード管理サーバ３０へ送信してもかまわない。
【０１１３】
ダウンロード管理サーバ３０は、上記の見積り請求を複合機１０から受信すると(ステップＳ２０４)、見積書発行処理部４２により見積ＩＤ（見積番号）を発行し、該見積ＩＤと、見積りの請求された機能に関する制御プログラムの使用料および合計金額、注文者の会社名、見積日などを含む見積りデータを作成する。さらに、注文書発行処理部４３により見積ＩＤと同一の注文ＩＤ（注文番号）を発行し、該注文ＩＤを含む注文書フォームデータを作成する。
【０１１４】
ダウンロード管理サーバ３０は、作成した見積りデータおよび注文書フォームデータを見積り請求元の複合機１０へ送信する（ステップＳ２０５）。また、作成した見積りデータを記憶部３３に保存する。見積りデータは管理者端末６０へ電子メールで送信してもよい。
【０１１５】
複合機１０は、ダウンロード管理サーバ３０から見積ＩＤを含む見積りデータおよび注文書フォームデータを受信すると、印刷制御手段２４により、該見積りデータに基づいて、図８に示す見積書３１０をプリンタ部１８から印刷出力させる。また、図９に示すような見積確認・注文画面３２０を操作表示部１５に表示させる(ステップＳ１０４)。
【０１１６】
図８の見積書３１０には、見積ＩＤ（見積番号）、見積日、見積り請求した会社名、見積書を発行した販売会社名、見積り依頼された装置の機種シリアル番号および見積り請求された各機能の機能名と機能コードと料金と、それらの合計料金とが記載されている。見積書の書式や記載内容はこれに限定されるものではない。
【０１１７】
図９の見積確認・注文画面３２０には、見積ＩＤ（見積番号）、注文ＩＤ（注文番号）、注文日、当該複合機１０の機種シリアル番号、および注文対象の各機能について機能名と機能コードと料金と選択状態の選択マーク３２１と、これらの合計料金とが表示されている。ユーザは選択マーク３２１を操作することで、見積確認・注文画面３２０に表示されている各機能について注文する／しないを機能毎に切り替えることができる。
【０１１８】
画面下部には、「確定・注文送信」釦３２２と、キャンセル釦３２３が表示されている。「確定・注文送信」釦３２２が操作されると(ステップＳ１０５；Ｎ）、キャンセル発行して注文を中止し（ステップＳ１０６）、本処理が終了する(エンド)。キャンセル発行はダウンロード管理サーバ３０に送信され、ダウンロード管理サーバ３０は記憶部１２から該当する見積りデータなどを消去する。なお、見積りデータを保存しておき、キャンセルされたことを追加登録するようにしてもよい。
【０１１９】
見積確認・注文画面３２０の「確定・注文送信」釦３２２が操作されると(ステップＳ１０５；Ｙ)、複合機１０の注文手段２３は注文書フォームデータに含まれていた注文ＩＤと現時点での注文内容とを含む注文データをダウンロード管理サーバ３０に送信して注文を実行する(ステップＳ１０７)。また、印刷制御手段２４は注文手段２３による注文の実行を契機に、該注文の内容を示す注文書をプリンタ部１８から印刷出力させる（ステップＳ１０８）。
【０１２０】
図１０は、印刷される注文書３３０の一例を示している。注文書３３０には、注文ＩＤ(注文番号)、注文日、貴社見積り番号（見積ＩＤ）、注文先の会社名（販売会社名）、注文主の会社名、注文に係わる装置の機種シリアル番号および注文する各機能の機能名と機能コードと料金と、それらの合計料金とが記載されている。注文書の書式や記載内容はこれに限定されるものではない。
【０１２１】
ダウンロード管理サーバ３０は複合機１０から注文データを受信すると(ステップＳ２０６；Ｙ)、該注文データが示す注文された機能に関する制御プログラムのダウンロードを許可する許可ＩＤを発行し、これを複合機１０に送信する(ステップＳ２０７)。また、この許可ＩＤとダウンロードを許可する制御プログラムのＩＤとを関連付けたダウンロード許可情報をプログラムサーバ５０に送信する。さらに、注文データを記憶部３３に保存する。なお、注文データを管理者端末６０へ電子メールの形式で送信し、注文の履歴が管理者端末６０に残るように構成してもよい。
【０１２２】
複合機１０のダウンロード制御部２１は、ダウンロード管理サーバ３０から許可ＩＤを受信すると、該許可ＩＤを含むダウンロード要求をプログラムサーバ５０に対して行ない、該当の制御プログラムをプログラムサーバ５０からダウンロードする（ステップＳ１０９、Ｓ２０８）。プログラムサーバ５０側ではダウンロード管理サーバ３０から受信したダウンロード許可情報に含まれる許可ＩＤと複合機１０から受信した許可ＩＤとを照合してダウンロードの可否を判断すると共に、ダウンロード対象の制御プログラムをダウンロード許可情報から認識して送信する。
【０１２３】
複合機１０は、ダウンロードが完了すると完了通知をダウンロード管理サーバ３０へ送信する(ステップＳ１１０)。ダウンロード管理サーバ３０は該完了通知を受信すると（ステップＳ２０９；Ｙ）、ライセンス証発行処理部４４によりライセンスＩＤを発行し、さらに、該ライセンスＩＤを含むライセンス証を印刷するためのライセンス証データを作成して、複合機１０に送信する（ステップＳ２１０）。また、ライセンスＩＤやライセンス証データを記憶部３３に保存する。さらに、今回の注文に関する請求書データ（課金データ）を作成して記憶部３３に保存する。請求書データは管理者端末６０へ電子メールで送信し、課金したことを明示してもよい。
【０１２４】
複合機１０の印刷制御手段２４は、ライセンスＩＤを含むライセンス証データをダウンロード管理サーバ３０から受信したことを契機に、該ライセンス証データに基づいてライセンス証をプリンタ部１８から印刷出力させて(ステップＳ１１１)処理を終了する（エンド）。
【０１２５】
図１１は、印刷されたライセンス証を例示したものである。図１１（ａ）に示すライセンス証３４０には、ライセンス証番号（ライセンスＩＤ）、発行日、ライセンス先の会社名（注文主の会社名）、ライセンス元の会社名（販売会社名）、ライセンス対象となる装置の機種シリアル番号およびライセンス対象の機能毎にその機能名と機能コードとライセンス番号とが記載されている。ライセンス証の書式や記載内容はこれに限定されるものではない。
【０１２６】
図１１（ｂ）に示すライセンス証３５０には、上記の項目に加えてさらにライセンス対象の機能毎の請求額と、それらの合計額、税額、税込み金額が記載されており、請求書としての機能を兼ねるようになっている。
【０１２７】
このようにライセンス証が書面として印刷出力されるので、無体物である制御プログラムをダウンロードという形式で購入した場合にも、プログラムの記録された記録媒体を有体物として購入した場合と同様に、正規の使用者であることを物的証拠で証明することができる。また、通信で注文してダウンロードにより入手するという販売形態においても、見積書、注文書、ライセンス証（請求書）が書面として自動的に出力されるので、有体物を購入する場合と同様に、書類による資産管理を行なうことができる。
【０１２８】
上記の例では、見積りデータの受信を契機に見積書を印刷し、注文の実行を契機に注文書を印刷し、ライセンスＩＤの受信を契機にライセンス証を印刷するようにしたが、見積りや注文の段階では、画面上の情報により金額の確認や注文内容の確認を行ない、ダウンロードの完了後、ライセンスＩＤを受信してライセンス証を印刷する段階で、今回の注文に関する見積書と注文書とをライセンス証と一括して印刷するように構成してもよい。
【０１２９】
図１２は、一括印刷する場合の購入処理の流れを示している。図６との違いは、図６のステップＳ１０４で行なっていた見積書の印刷は、図１２のステップＳ１０４−２では行なわない。また、図６のステップＳ１０８での注文書印刷も図１２の処理では行なわない。一方、図６のステップＳ１１１ではライセンスＩＤの受信を契機にライセンス証（請求書）のみを印刷したが、図１２のステップＳ１１１−２では、ライセンスＩＤの受信を契機に見積書、注文書、ライセンス証（請求書）を一括印刷する。
【０１３０】
このように、売買が完了した段階で資産管理に関連する一連の書面を一括して印刷することで、一部の書面の紛失などが起こり難く、取り扱いが便利になる。３枚の書面を自動的にステイプルで綴じるようにすればなおよい。
【０１３１】
３枚の書面を綴じる以外にも、同一の記録紙に対して、見積書、注文書、ライセンス証（請求書）を印刷するようにしても良い。
【０１３２】
ステップＳ１１１−２で３つの書面を一括印刷するためには、印刷の時期が到来するまで見積りデータや注文データを保存しておくことになる。該保存は複合機１０側で行なってもよいし、ダウンロード管理サーバ３０の記憶部３３に保存してある見積りデータおよび注文データを、ライセンスＩＤと共にダウンロード管理サーバ３０から複合機１０へ送信するように構成してもよい。
【０１３３】
また、図１３に示すように、ダウンロードが完了した（販売完了）後の任意のタイミングで見積書、注文書、ライセンス証を一括印刷可能に構成してもよい。詳細には、複合機１０からダウンロード管理サーバ３０に対して注文ＩＤを含む一括印刷要求を送信すると（ステップＳ４０１）、ダウンロード管理サーバ３０はその注文ＩＤに対応する見積りデータ、注文データ、ライセンス証データを記憶部３３から読み出して複合機１０へ返送する(ステップＳ４０２)。複合機１０はこれら受信したデータに基づいて見積書、注文書、ライセンス証を一括して印刷する。
【０１３４】
なお、コンビニエンス・ストアなどに設置されている複合機で、付属のコインベンダから料金を徴収できる場合には、ライセンス証の代わりに領収書を発行するように構成してもよい。
【０１３５】
また、上記の例では複合機１０からダウンロード管理サーバ３０に制御プログラムを注文する構成としたが、たとえば、ユーザＰＣ（Personal Computer）上のプリンタドライバソフトから注文の指示を行なってもよい。その場合のワークフローは次のようになる。
【０１３６】
（１）プリンタドライバソフトは、機能を選択するための選択画面をユーザＰＣの表示部に表示し、ユーザから機能の選択操作を受ける。該選択画面には、ダウンロード可能なオプション機能が選択可能に表示される。また、ハッチングの有無などにより拡張機能は基本機能と識別可能に表示される。
【０１３７】
（２）ユーザが選択した機能はプリンタドライバソフトからダウンロード管理サーバ３０へ送信され、ダウンロード管理サーバ３０は該当プログラムをプログラムサーバ５０から検索して見積りデータを作成し、該見積りデータをユーザＰＣへ送信する。ユーザＰＣのプリンタドライバソフトは、見積・注文画面を表示すると共に、見積書を複合機１０に印刷させる。見積りデータはダウンロード管理サーバ３０に蓄積するほか、電子メールで管理者端末６０へ送信されてもよい。また、ダウンロード管理サーバ３０は、見積りデータの反映された注文書フォームデータを作成し、これをプリンタドライバソフトへ送信してユーザの確認（承認）を促す。
【０１３８】
（３）ユーザは画面上もしくは見積書において料金および注文内容を確認し、見積・注文画面において注文の確定操作を行なう。プリンタドライバソフトは注文の確定操作が行なわれると、注文内容を示す注文データをダウンロード管理サーバ３０へ送信して注文を実行すると共に、該注文の内容を示す注文書を複合機１０に印刷させる。また、注文データはダウンロード管理サーバ３０に蓄積される。注文データをダウンロード管理サーバ３０から管理者端末６０へ電子メールで送信して注文の履歴を残すようにしてもよい。
【０１３９】
（４）ダウンロード管理サーバ３０はプログラムサーバ５０とプリンタドライバソフトへダウンロードの許可ＩＤを送信する。
【０１４０】
（５）プリンタドライバソフトはプログラムサーバ５０から該当のプログラムをダウンロードする。  
【０１４１】
（６）ダウンロードが完了すると、プリンタドライバソフト（またはプログラムサーバ５０）はダウンロード管理サーバ３０へダウンロードの完了通知を行なう。
【０１４２】
（７）完了通知を受けたダウンロード管理サーバ３０はライセンス証（請求書）データをプリンタドライバソフトへ送信する。これを受けたプリンタドライバソフトはライセンス証を複合機１０に印刷させる。また、ダウンロード管理サーバ３０は、ライセンス証（請求書）データを課金データとして蓄積したり、電子メールで管理者端末６０へ送信して課金したことを明示したりしてもよい。
【０１４３】
次に、第２の実施の形態について説明する。
【０１４４】
第２の実施の形態に示す商品販売システムは、制御プログラムなどのデータに限らず、有体物も注文の対象にしている。図１４は、該商品販売システムにおける注文処理の流れ（ワークフロー）を示している。商品販売システムは、ネットワーク２に接続された商品注文装置５００と、管理装置５１０とから構成される。これらは、コンピュータ装置で所定のプログラムを実行することにより実現される。
【０１４５】
商品注文装置５００は管理装置５１０に対して注文可能な商品の一覧データを要求し（ステップＳ６０１）、管理装置５１０は該要求に応じて商品一覧データを商品注文装置５００に返送する（ステップＳ７０１）。
【０１４６】
商品注文装置５００は管理装置５１０から受信した商品一覧データに基づいて商品の選択画面を表示部に表示し、ユーザから商品の選択操作および確定操作を受けると、該選択された商品に係わる見積りデータの送信を管理装置５１０に請求する(ステップＳ６０２)。
【０１４７】
管理装置５１０は、商品注文装置５００からの見積り請求に応じて、見積ＩＤを含む見積りデータと注文書フォームデータを作成し、これらを商品注文装置５００へ送信すると共に、自装置の記憶部に保存する(ステップＳ７０２)。商品注文装置５００は受信した見積りデータに基づいて見積・注文画面を表示する（ステップＳ６０３）。また、見積りデータに基づく見積書を自動で印刷する(ステップＳ６０４)。
【０１４８】
商品注文装置５００は、見積・注文画面においてユーザから注文の確定操作を受けると(ステップＳ６０５；Ｙ)、注文データを管理装置５１０へ送信して注文を実行する(ステップＳ６０６)。さらに、商品注文装置５００は注文データの送信を契機に注文書を自動で印刷する(ステップＳ６０７)。
【０１４９】
管理装置５１０は注文データを受信すると(ステップＳ７０３；Ｙ)、注文された商品の配送を手配し（ステップＳ７０４）、配送手配が完了すると、請求書データを作成して商品注文装置５００へ送信する(ステップＳ７０５)。
【０１５０】
商品注文装置５００は管理装置５１０から請求書データを受信すると、該請求書データに基づいて請求書を自動で印刷し、(ステップＳ６０８)一連の注文処理が終了する（エンド）。
【０１５１】
図１５は、見積書、注文書、請求書を一括印刷する場合の処理手順を示している。商品注文装置５００は管理装置５１０に対して注文可能な商品の一覧データを要求し（ステップＳ６２１）、管理装置５１０は該要求に応じて商品一覧データを商品注文装置５００に返送する（ステップＳ７２１）。
【０１５２】
商品注文装置５００は管理装置５１０から受信した商品一覧データに基づいて商品の選択画面を表示部に表示し、ユーザから商品の選択操作および確定操作を受けると、該選択された商品に係わる見積りデータの送信を管理装置５１０に請求する(ステップＳ６２２)。
【０１５３】
管理装置５１０は、商品注文装置５００からの見積り請求に応じて、見積ＩＤを含む見積りデータと注文書フォームデータを作成し、これらを商品注文装置５００へ送信すると共に、自装置の記憶部に保存する(ステップＳ７２２)。商品注文装置５００は受信した見積りデータに基づいて見積・注文画面を表示する（ステップＳ６２３）。
【０１５４】
商品注文装置５００は見積・注文画面においてユーザから注文の確定操作を受けると(ステップＳ６２４；Ｙ)、注文データを管理装置５１０へ送信して注文を実行する(ステップＳ６２５)。
【０１５５】
管理装置５１０は注文データを受信すると(ステップＳ７２３；Ｙ)、注文データを保存し(ステップＳ７２４)、注文された商品の配送を手配する（ステップＳ７２５）。商品の配送手配が完了すると、請求書データを作成し、該請求書データと先に作成して保存してある見積りデータと注文データとを商品注文装置５００へ送信する(ステップＳ７２６)。
【０１５６】
商品注文装置５００はこれらのデータを管理装置５１０から受信すると、受信した見積りデータに基づいて見積書を、注文データに基づいて注文書を、請求書データに基づいて請求書を一括して自動印刷し(ステップＳ６２６)、一連の注文処理を終了する（エンド）。
【０１５７】
このように、有体物を含めた各種の商品を、表示画面上で選択し注文して購入する場合においても、注文に関する一連の書面（見積書、注文書、請求書）が自動的に印刷されるので、手動で画面を印刷させる手間が省けると共に、印刷忘れによる出力漏れが起こらないので、通信で注文した商品についても書面による資産管理を円滑に行なうことができる。
【０１５８】
なお、商品注文装置側で見積りデータ、注文データを保存しておき、請求書を印刷する際に、見積書、注文書をあわせて一括印刷するようにしてもよい。
【０１５９】
また、請求書の印刷、見積書の印刷、注文書の印刷は、共通の印刷制御手段により実行されても良いし、各々異なる印刷制御手段により実行されても良い。
【０１６０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１６１】
たとえば、第１の実施の形態ではダウンロードの対象を制御プログラムとしたが、他の種類のプログラムでもよいし、音楽データなどでもよく、通信で転送可能なデータであれば、その種類は問わない。
【０１６２】
また、機能や商品を選択する際に、その値段がユーザに既に通知されていれば、選択した商品や機能に対する見積りの請求や見積書の印刷は省略されてもよい。
【０１６３】
第１の実施の形態では、複合機を例に説明したが、複写機、プリンタ、ファクシミリ装置など他の種類の端末装置であってもかまわない。
【図面の簡単な説明】
【０１６４】
【図１】本発明の第１の実施の形態に係わるデータ販売システムの構成を示す説明図である。
【図２】複合機の概略構成を示すブロック図である。
【図３】ダウンロード管理サーバの構成を示すブロック図である。
【図４】プログラムサーバの構成を示すブロック図である。
【図５】管理者端末の構成を示すブロック図である。
【図６】データ販売システムにおける制御プログラムの購入処理の流れ（ワークフロー）を示す説明図である。
【図７】機能選択画面の一例を示す正面図である。
【図８】見積書の一例を示す正面図である。
【図９】見積確認・注文画面の一例を示す正面図である。
【図１０】注文書の一例を示す正面図である。
【図１１】２種類のライセンス証を示す正面図である。
【図１２】見積書・注文書・ライセンス証を一括印刷する場合の購入処理の流れを示す説明図である。
【図１３】複合機からの要求で見積書・注文書・ライセンス証を一括印刷する場合の処理手順を示す説明図である。
【図１４】商品注文装置における商品注文処理の流れ（ワークフロー）を示す説明図である。
【図１５】見積書・注文書・請求書を一括印刷する場合における商品注文処理の流れを示す説明図である。
【符号の説明】
【０１６５】
２…ネットワーク
５…データ販売システム
１０…複合機
１１…ＲＯＭ
１２…記憶部
１２ａ…揮発メモリ部
１２ｂ…不揮発メモリ部
１３…カウンタ部
１４…送受信部
１５…操作表示部
１６…スキャナ部
１７…画像処理部
１８…プリンタ部
１９…バス
２０…ＣＰＵ
２１…ダウンロード制御部
２２…見積り請求手段
２３…注文手段
２４…印刷制御手段
３０…ダウンロード管理サーバ
３１…ＲＯＭ
３２…ＲＡＭ
３３…記憶部
３４…操作部
３５…表示部
３６…送受信部
３７…バス
４０…ＣＰＵ
４１…ダウンロード管理部
４１ａ…検索部
４１ｂ…許可部
４２…見積書発行処理部
４３…注文書発行処理部
４４…ライセンス証発行処理部
４５…メール発行処理部
５０…プログラムサーバ
５１…ＣＰＵ
５１ａ…ダウンロード制御部
５２…ＲＯＭ
５３…ＲＡＭ
５４…記憶部
５５…操作部
５６…表示部
５７…送受信部
５８…バス
６０…管理者端末
６１…ＣＰＵ
６１ａ…メール受信処理部
６２…ＲＯＭ
６３…ＲＡＭ
６４…記憶部
６５…操作部
６６…表示部
６７…送受信部
６８…バス
３００…機能選択画面
３０１…機能名
３０２…料金
３０３…選択マーク
３０４…「確定・見積り依頼送信」釦
３１０…見積書
３２０…見積確認・注文画面
３２１…選択マーク
３２２…「確定・注文送信」釦
３２３…キャンセル釦
３３０…注文書
３４０…ライセンス証
３５０…請求書を兼ねたライセンス証
５００…商品注文装置
５１０…管理装置
【図１】
2007213230.tif 000003
【図２】
2007213230.tif 000004
【図３】
2007213230.tif 000005
【図４】
2007213230.tif 000006
【図５】
2007213230.tif 000007
【図６】
2007213230.tif 000008
【図７】
2007213230.tif 000009
【図８】
2007213230.tif 000010
【図９】
2007213230.tif 000011
【図１０】
2007213230.tif 000012
【図１１】
2007213230.tif 000013
【図１２】
2007213230.tif 000014
【図１３】
2007213230.tif 000015
【図１４】
2007213230.tif 000016
【図１５】
2007213230.tif 000017